(57)【要約】【課題】  複数の光源部のそれぞれを囲む隔壁を有する光源装置において、従来よりも少ない数の光センサで輝度ムラや色ムラを精度良く調整するための技術を提供する。【解決手段】  本発明の光源装置は、光源基板１０５上に設けられた複数の光源部１０１と、光源基板１０５上に設けられた、各光源部１０１を囲む隔壁１０３と、光源基板１０５の周縁部に配置された側壁１０６と、側壁１０６の隔壁１０３よりも上側の位置に配置された光センサ１０４と、を備える。【選択図】  図１
2018190557.tif 000002
【特許請求の範囲】
【請求項１】
基板上に設けられた複数の光源部と、
前記基板上に設けられた、各光源部を囲む隔壁と、
前記基板の周縁部に配置された側壁と、
前記側壁の前記隔壁よりも上側の位置に配置された光センサと、
を備える光源装置。
【請求項２】
複数の光センサが、前記側壁の互いに向かい合う位置に配置されることを特徴とする請求項１に記載の光源装置。
【請求項３】
４つの光センサが前記側壁に配置され、２つの光センサが前記側壁の互いに向かい合う位置に配置され、他の２つの光センサが前記側壁の互いに向かい合う位置に配置されることを特徴とする請求項２に記載の光源装置。
【請求項４】
前記複数の光センサが、前記基板から略同じ距離の位置に配置されることを特徴とする請求項２または３に記載の光源装置。
【請求項５】
前記光センサのセンサ面は、前記基板に対して略９０度の角度になるように配置されることを特徴とする請求項１から４までのいずれか１項に記載の光源装置。
【請求項６】
前記側壁は、前記光センサよりも上側の位置で光学シートを保持することを特徴とする請求項１から５までのいずれか１項に記載の光源装置。
【請求項７】
前記光学シートは、拡散板、集光シート、反射型偏光フィルムの少なくとも１つを含むことを特徴とする請求項６に記載の光源装置。
【請求項８】
前記側壁は、前記光センサよりも下側の位置で拡散板を保持することを特徴とする請求項６または７に記載の光源装置。
【請求項９】
前記側壁は、前記光センサよりも下側の位置で量子ドットシートを保持することを特徴とする請求項６または７に記載の光源装置。
【請求項１０】
請求項１から９までのいずれか１項に記載の光源装置と、
前記光源装置からの光を変調することで画面に画像を表示する表示パネルと、
を備える表示装置。
【発明の詳細な説明】
【技術分野】
【０００１】
本発明は、光センサを備える光源装置及び表示装置に関する。
【背景技術】
【０００２】
従来、液晶表示パネルの光源装置に冷陰極蛍光管（ＣＣＦＬ）が用いられてきたが、近年、光源として発光ダイオード（ＬＥＤ）を用いた光源装置も増えてきている。光源装置に点光源であるＬＥＤを用いる場合には、輝度ムラや色ムラの発生を抑制するために、ＬＥＤの配置、ＬＥＤからの光の拡散構造や反射構造等が工夫される。
【０００３】
一方、ＬＥＤが点光源であることを利用して、複数の光源の発光輝度を個別に制御することで光源装置の明るさを部分的に変更し、表示画像のコントラストを高める技術がある。このような技術は、例えばローカルディミング制御と呼ばれる。ローカルディミング制御では、画面を構成する複数の分割領域のそれぞれの画像信号の輝度値に基づいて、各分割領域に対応する光源の発光輝度を制御する処理が行われる。ローカルディミング制御時のコントラスト比を改善するため、光源からの光の広がりを抑える方式として、各光源部を隔壁で囲う構造が提案されている。
【０００４】
ＬＥＤ等の光源は、光源の温度変化や経年劣化等によって発光特性が変化する。複数の光源を有する光源装置では、各光源の温度劣化や経年劣化の度合がばらつくことにより、各光源の発光特性のばらつきが生じる。そこで、光源からの光を検出する光センサを用いて、光源の発光輝度を調整することで、輝度ムラや色むらを抑制する技術が知られている。例えば、特許文献１には、複数の光源部のそれぞれを囲む隔壁を有する光源装置において、隣接する２つ以上の光源部の間に光センサを配置し、光源部よりも少ない数の光センサで各光源部の発光輝度を調整する技術が提案されている。
【先行技術文献】
【特許文献】
【０００５】
【特許文献１】特開２０１６−０１２５５２号公報
【発明の概要】
【発明が解決しようとする課題】
【０００６】
しかしながら、上述の特許文献１に開示された従来技術では、光源部を配置する基板上に光センサを配置したり、基板上に配置した隔壁に光センサを配置したりするので、各光源からの光を検出するためには多数の光センサを配置する必要があった。
【０００７】
そこで、本発明は、複数の光源部のそれぞれを囲む隔壁を有する光源装置において、従来よりも少ない数の光センサで輝度ムラや色ムラを精度良く調整するための技術を提供することを目的とする。
【課題を解決するための手段】
【０００８】
上述した課題を解決するために、本発明の一実施形態に係る光源装置は、基板上に設けられた複数の光源部と、前記基板上に設けられた、各光源部を囲む隔壁と、前記基板の周縁部に配置される側壁と、前記側壁の前記隔壁よりも上側の位置に配置された光センサと、
を備える光源装置。
【発明の効果】
【０００９】
本発明によれば、複数の光源部のそれぞれを囲む隔壁を有する光源装置において、従来よりも少ない数の光センサで輝度ムラや色ムラを精度良く調整することが可能となる。
【図面の簡単な説明】
【００１０】
【図１】実施の形態１に係る表示装置の構成の一例を示す断面図である。
【図２】正面側（液晶パネル側）から見た場合の光源装置の構成の一例を示す図である。
【図３】光源部からの光を４つの光センサで検出する様子を示すイメージ図である。
【図４】実施の形態１において光源部からの光を４つの光センサで検出した検出結果を説明するための図である。
【図５】２つの光センサを配置した光源装置を正面側（液晶パネル３側）から見た場合の構成の一例を示す図である。
【図６】実施の形態１において光源部からの光を２つの光センサで検出する様子を示すイメージ図である。
【図７】３つの光センサで光源部からの光を検出する様子を示すイメージ図である。
【図８】側壁上部の左上隅に光センサを配置し、側壁上部の右下隅に光センサを配置した場合のイメージ図である。
【図９】実施の形態２に係る表示装置の構成の一例を示す断面図である。
【図１０】実施の形態２において光源部からの光を４つの光センサで検出した輝度の検出結果を説明するための図である。
【図１１】実施の形態２において光源部からの光を２つの光センサで検出する様子を示すイメージ図である。
【図１２】実施の形態２において光源部からの光を２つの光センサで検出した輝度の検出結果を説明するための図である。
【図１３】青色ＬＥＤを各光源部として用い、中間拡散板の代わりに量子ドットシートを用いた表示装置の構成の一例を示す断面図である。
【発明を実施するための形態】
【００１１】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１２】
なお、各実施形態に示す表示装置は、表示パネルと、該表示パネルを背面から照射する光源装置（バックライト装置）を備える。なお、以下では表示パネルとして液晶パネルを例示し、バックライトの光源としてＬＥＤ発光素子を例示するが、表示パネルやバックライトの光源はこれに限らない。例えば、バックライトの光源は、有機ＥＬ素子やレーザー光源であってもよい。表示パネルは、液晶素子以外の素子（バックライトからの光の透過率を制御可能な素子）を有する表示パネルであってもよい。例えば、ＭＥＭＳ（Ｍｉｃｒｏ  Ｅｌｅｃｔｒｏ  Ｍｅｃｈａｎｉｃａｌ  Ｓｙｓｔｅｍ）シャッター方式の表示パネルであってもよい。また、透過型の液晶パネルであってもよいし、反射型の液晶表示装置であってもよい。各実施形態に示す表示装置は、光源装置からの光を変調することで画面に画像を表示する表示装置であればよい。カラー画像表示装置であってもよいし、モノクロ画像表示装置であってもよい。
【００１３】
また、本発明に係る光源装置は、面光源部を有する照明装置や表示装置などの各種装置に幅広く適用可能である。例えば、表示装置の場合、表示パネルおよび光源装置を含む構成と、表示パネルを有さずに光源装置の発光制御により表示を行う構成がある。また、本発明に係る光源装置は、街灯、室内照明、顕微鏡照明などの照明装置であってもよい。
【００１４】
（実施の形態１）
図１は、本実施の形態１に係る表示装置１の構成の一例を示す断面図である。図２は、正面側（液晶パネル３側）から見た場合の光源装置２の構成の一例を示す図である。
【００１５】
表示装置１は、光源装置２と、光源装置２に保持される液晶パネル３を備える。光源装置２は、複数の光源部１０１、光学シート１０２、隔壁１０３、光センサ１０４、光源基板１０５、側壁１０６を備える。側壁１０６は、側壁下部１０７と側壁上部１０８からなる。側壁下部１０７と側壁上部１０８は、個別の部材であってもよいし、一体形成されたものであってもよい。
【００１６】
光源装置２は、液晶パネル３の背面に光（白色光）を照射するバックライトである。光源基板１０５上には、複数の光源部１０１と、各光源部１０１を囲む隔壁１０３が設けられている。光源基板１０５の下には、光源基板１０５からの熱を放熱する図示しない板金（放熱板）が設けられる。また、光源基板１０５と板金とは、熱伝導シート等で電気的に絶縁される。なお、底面と側壁とを有する箱形のバックライトケースの底面に、上から光源基板１０５を乗せた構成であってもよい。
【００１７】
各光源部１０１は、１つ以上の発光素子を有する。発光素子としては、発光ダイオード（ＬＥＤ）、冷陰極管、有機ＥＬ素子等を用いることができる。本実施例では、発光素子としてＬＥＤチップを使用し、各光源部１０１は、赤色ＬＥＤと緑色ＬＥＤと青色ＬＥＤを有するものとして説明する。ただし、各光源部１０１を白色ＬＥＤで構成してもよいし、各光源部１０１から白色の合成光が発せられるように、発光色が互いに異なる複数のＬＥＤを組み合わせて用いてもよい。例えば、各光源部１０１に、２つの赤色ＬＥＤ、４つの緑色ＬＥＤ、２つの青色ＬＥＤの組み合わせで合計８つのＬＥＤを使用してもよい。各光源部１０１に、発光色が互いに異なる複数のＬＥＤを使用すれば、各光源部１０１の発光輝度だけでなく発光色も制御することができる。また、各光源部１０１を青色ＬＥＤで構成し、青色光から赤色光と緑色光を励起する量子ドットを使用してもよい。
【００１８】
隔壁１０３は、各光源部１０１からの光を反射する反射面を有する反射部材である。各光源部１０１からの光は、隔壁１０３の反射面で反射し、隔壁１０３の反射面で囲まれた分割領域内に戻される。これにより、各光源部１０１から発せられた光を各分割領域内で十分に平均化することができる。各光源部１０１からの光が隔壁１０３の反射面で反射して正面側（液晶パネル側）へ向かうことで、表示画像のコントラストが高められる。隔壁１０３は、各光源部から他の光源部へ向かう光を遮蔽する遮蔽面を有するとも言える。隔壁１０３により、各光源部から他の光源部へ向かう光を遮蔽することにより、各光源部から発せられる光の広がりが抑制される。各表示画像の輝度値に応じて、各光源部からの光の発光量を個別に制御するローカルディミング制御により、表示画像のコントラストを向上することができる。
【００１９】
隔壁１０３の素材は特に限定されないが、例えば厚さ０．１〜２ｍｍ程度の反射率の高い樹脂製の白色シートを用いる。表示装置用の光源基板上に設けられる隔壁１０３の大きさは、表示装置の画面の表示領域と同等かそれよりも大きくすればよい。
【００２０】
光学シート１０２は、拡散板、集光シート、反射型偏光フィルム等の複数の光学部材を含み、複数の光源部１０１と対向する位置に設けられている。光学シート１０２は、光センサ１０４よりも上側の位置で、液晶パネル３とともに側壁上部１０８の固定部により保持される。光学シート１０２は、光源基板１０５と略平行に配置され、光源部１０１からの光に、集光、拡散など光学的な変化を与える。具体的には、拡散板は、複数の光源部１０１からの光を拡散させることにより、光源基板１０５を面光源として機能させる。集光シートは、拡散板で拡散し、様々な入射角度で入射した白色光を、正面方向（液晶パネル３側）に集光することにより、正面輝度（正面方向の輝度）を向上させる。反射型偏光フィルムは、入射した白色光を効率的に偏光することにより、正面輝度を向上させる。光源基板側から、拡散板、集光シート、反射型偏光フィルムの順に重ねて用いられる。光学シート１０２は、プリズムシート、輝度向上シート等をさらに含んでいてもよい。以後、これらの光学部材をまとめて光学シート１０２と呼ぶ。なお、光学シート１０２には、上述した光学部材以外の部材が含まれていてもよいし、上述した光学部材のいずれかが含まれていなくてもよい。また、光学シート１０２と液晶パネル３は一体で構成されていてもよい。
【００２１】
例えば、各光源部１０１が青色ＬＥＤで構成される場合、光学シート１０２は、青色光から赤色光と緑色光を励起する量子ドットシート（ＱＤシート）を含んでもよい。量子ドットシートは、青色ＬＥＤから発せられた青色光の色を変換して、変換後の色の光を発する変換部材として機能する。量子ドットは、蛍光体、光変換素子、波長変換素子とも呼ばれるる。量子ドットシートからは、青色ＬＥＤからの青色光と、青色光から励起された赤色光、及び、青色光から励起された緑色光を合成した白色合成光が発せられる。
【００２２】
液晶パネル３は、光源装置２からの光を透過することで画面に画像を表示する表示パネルである。液晶パネル３は、図示しない外部装置から入力された画像信号に基づく画像を表示する。具体的には、液晶パネル３は、赤色の光を透過するＲサブ画素、緑色の光を透過するＧサブ画素、及び、青色の光を透過するＢサブ画素からなる画素を複数有しており、照射された白色光の輝度をサブ画素毎に制御することでカラー画像を表示する。図１に示すような構成の光源装置２は、直下型のバックライト装置と呼ばれる。
【００２３】
図２に示すように、本実施の形態１では、光源基板１０５は、２行×２列の合計４つのＬＥＤ基板１１０を有している。各ＬＥＤ基板１１０の領域は、隔壁１０３によって３行３列の合計９個の分割領域１１２に分割されている。そして、光源基板１０５の領域は、隔壁１０３によって６行×６列の合計３６個の分割領域１１２に分割されている。各分割領域１１２の光源部１０１の発光量（発光輝度と発光色の少なくとも一方）は、個別に制御可能である。また、複数の光源部１０１の行方向の間隔及び列方向の間隔は一定である。なお、１つのＬＥＤ基板１１０に設けられている光源部１０１の数は９個より多くても少なくてもよい。また、光源基板１０５に設けられている光源部１０１の数は３６個より多くても少なくてもよい。
【００２４】
図２の左上隅の光源部１０１は、光源部１０１＿（１，１）とする。そして、左上隅からｍ列目、ｎ行目の光源部１０１を、光源部１０１＿（ｍ，ｎ）と表す。例えば、左上隅から２列目、３行目の光源部１０１は、光源部１０１＿（２，３）と表される。
【００２５】
本実施の形態１では、隔壁１０３よりも上側の側壁上部１０８の側面に、４つ光センサ１０４ａ，１０４ｂ，１０４ｃ，１０４ｄが設けられている。側壁下部１０７と側壁上部１０８は、光源基板１０５の周縁部に設けられ、光源基板１０５に対して略９０度の角度になるように配置される。
【００２６】
図１に示すように、光源基板１０５の表面を基準位置とし、液晶パネル３の底面の垂直方向の位置をＺとする。光源基板１０５の表面から隔壁１０３の正面側（液晶パネル３側）の頂点までの範囲をＺｂとし、隔壁１０３の正面側（液晶パネル３側）の頂点から液晶パネル３の底面までの範囲をＺａとする。Ｚ＝Ｚａ＋Ｚｂで表される。Ｚｂは、隔壁１０３の高さに相当する。図１に示す隔壁１０３よりも上側の範囲Ｚａ内に光センサ１０４を配置することにより、少ない数の光センサで、光源１０１からの光の輝度と色を高精度に検出することが可能となる。光センサ１０４ａ，１０４ｂ，１０４ｃ，１０４ｄの位置は、隔壁１０３よりも上側の範囲Ｚａ内であればよく、各光センサの位置が異なっていてもよい。しかし、複数個の光センサの光源基板１０５からの距離が同じ（略同じ）である方が、光センサの検出値の演算処理の負荷が小さくてすむ。
【００２７】
光センサ１０４ａ，１０４ｂ，１０４ｃ，１０４ｄは、例えば、４つの側壁上部１０８のそれぞれの側面の中央部に配置される。光センサ１０４ａと光センサ１０４ｂは互いに向かい合い、光センサ１０４ｃと光センサ１０４ｄは互いに向かい合うように配置される。光センサ１０４ａ，１０４ｂ，１０４ｃ，１０４ｄのセンサ面は、例えば、光源基板１０５に対して略９０度の角度になるように配置される。これにより、各光源部１０１から発せられ、光源装置内で拡散された光を効率的に検出することができる。例えば、図２に示した３６つの光源部１０１を１つずつ順番に点灯させて、４つの光センサ光センサ１０４ａ，１０４ｂ，１０４ｃ，１０４ｄで各光源部１０１から発せられる光を順番に検出する。
【００２８】
光センサ１０４としては、例えば、光の輝度を検出するフォトダイオードやフォトトランジスタ等の輝度センサを使用することができる。また、光センサ１０４として、光の色を検出するカラーセンサを使用してもよいし、光の輝度と色の両方を検出する光センサを使用してもよい。
【００２９】
光センサの数は１つ以上であればよい。画面サイズが十分に小さい場合は、光センサの数が１つであっても、十分な精度で光源部からの光の輝度・色を検出できる。画面サイズがある程度大きい場合は、２つ以上の光センサを用いるのが好ましい。画面サイズが大きい場合は、光センサの数を多くすることで、十分な精度で光源部からの光の輝度・色をより高精度に検出できる。
【００３０】
図３は、光源基板１０５の左上隅から２列目、３行目の光源部１０１＿（２，３）を単一点灯させ、光源部１０１＿（２，３）からの光を４つの光センサ１０４ａ，１０４ｂ，１０４ｃ，１０４ｄで検出する様子を示すイメージ図である。光センサ１０４ａ，１０４ｂ，１０４ｃ，１０４ｄから光源部１０１＿（２，３）までの距離を１０９ａ、１０９ｂ、１０９ｃ、１０９ｄとする。
【００３１】
図４は、光源部１０１＿（２，３）からの光を４つの光センサ１０４ａ，１０４ｂ，１０４ｃ，１０４ｄで検出した検出結果を説明するための図である。図４（ａ）は、輝度検出結果を示し、図４（ｂ）は、色度検出結果を示す。４つの光センサ光センサ１０４ａ，１０４ｂ，１０４ｃ，１０４ｄの光源基板１０５に対する垂直方向の位置を０．７９Ｚ（図１参照）とした場合の検出結果である。
【００３２】
図４（ａ）に示すように、光源部１０１＿（２，３）に最も近い位置の光センサ１０４ｂの検出感度が最も高く、光源部１０１＿（２，３）からの距離が遠くなるほど、光センサの検出感度が低くなった。また、図４（ｂ）に示すように、光源部１０１＿（２，３）からの距離が最も遠い光センサ１０４ａ以外は、ほぼ同じ検出感度で色度を検出することができた。
【００３３】
光センサの光源基板１０５に対する垂直方向の位置を０．６０Ｚ，０．６３Ｚ，０．７３Ｚ，０，７９Ｚ，０，９０Ｚ，０，９８Ｚに変更した場合の検出結果も同様であった。隔壁１０３よりも上側の側壁上部１０８の範囲Ｚａ内に光センサ１０４ａ，１０４ｂ，１０４ｃ，１０４ｄを配置することが有効であることが確認できた。また、０．６０Ｚ以上なら、より精度よく輝度検出できることと、光センサの位置が光学シート１０２に近い方が、感度良くより高精度な検出値が得られることが確認できた。また、隔壁１０３よりも上側の側壁上部１０８の範囲Ｚａ内において、２個以上の光センサを互いに向い合う位置に配置すれば、各光源部１０１からの光の輝度と色度が検出可能であり、輝度ムラや色ムラを精度良く調整することが可能となることがわかった。輝度に関しては、点灯させた光源部から近い方の光センサで検出した検出値のみを用いてもよいし、点灯させた光源部から各光センサまでの距離に応じた係数を検出値に乗算して使用してもよい。
【００３４】
図５は、２つの光センサ１０４ａ，１０４ｂを配置した光源装置２を正面側（液晶パネル３側）から見た場合の構成の一例を示す図である。図６は、光源基板１０５の左上隅から２列目、３行目の光源部１０１＿（２，３）を単一点灯させ、光源部１０１＿（２，３）からの光を２つの光センサ１０４ａ，１０４ｂで検出する様子を示すイメージ図である。
【００３５】
図５に示すように、２つの光センサ１０４ａ，１０４ｂを互いに向かい合うように配置すれば、各光源部１０１からの光の輝度と色度が検出可能であり、輝度ムラや色ムラを精度良く調整することが可能となる。
【００３６】
なお、光センサの数は奇数であってもよく、図７は、３つの光センサ１０４ａ，１０４ｂ，１０４ｇで光源部１０１からの光を検出する様子を示すイメージ図である。このように、側壁上部１０８の隅（左上隅）に光センサ１０４ｇを配置してもよい。図８は、側壁上部１０８の左上隅に光センサ１０４ｇを配置し、側壁上部１０８の右下隅に光センサ１０４ｈを配置し、合計４つの光センサを配置した場合のイメージ図である。
【００３７】
以上のように、本実施の形態１によれば、複数の光源部のそれぞれを囲む隔壁を有する光源装置において、従来よりも少ない数の光センサで輝度ムラや色ムラを精度良く調整することが可能となる。
【００３８】
（実施の形態２）
図９は、本実施の形態２に係る表示装置１１の構成の一例を示す断面図である。図９において、図１と同一の構成要素ついては同一の符号を付し、その詳細な説明は繰り返さない。
【００３９】
表示装置１１は、光源装置１２と、光源装置１２に保持される液晶パネル３を備える。図９の光源装置１２と図１の光源装置２とを比較して異なる点は、側壁下部１１３が中間拡散板１１５を保持している点である。側壁１１４は、側壁下部１１３と側壁上部１０８からなる。側壁下部１１３と側壁上部１０８は、個別の部材であってもよいし、一体形成されたものであってもよい。
【００４０】
中間拡散板１１５は、隔壁１０３の正面側（液晶パネル３側）の頂点の上に乗せるように配置する。側壁下部１１３は、光センサ１０４よりも下側（光源基板１０５側）の位置で中間拡散板１１５を保持する。光学シート１０２は、実施の形態１と同様のものである。光学シート１０２は、光センサ１０４よりも上側の位置で、液晶パネル３とともに側壁上部１０８の固定部により保持される。光学シート１０２は、光源部１０１から中間拡散板１１５を介して入射した光が所望の輝度ムラ分布や色ムラ分布となるようにするものである。中間拡散板１１５と光学シート１０２の距離が長いほど、輝度ムラや色ムラが少なくなり、中間拡散板１１５と光学シート１０２の距離が短いほど、表示画像のコントラストが高くなる。
【００４１】
図１０は、光源部１０１＿（２，３）からの光を４つの光センサ１０４ａ，１０４ｂ，１０４ｃ，１０４ｄで検出した輝度の検出結果を説明するための図である。４つの光センサ光センサ１０４ａ，１０４ｂ，１０４ｃ，１０４ｄの光源基板１０５に対する垂直方向の位置を０．５６Ｚ（図１参照）とした場合の検出結果である。図３に示したように、光源基板１０５の左上隅から２列目、３行目の光源部１０１＿（２，３）を単一点灯させ、光源部１０１＿（２，３）からの光を４つの光センサ１０４ａ，１０４ｂ，１０４ｃ，１０４ｄで検出する。
【００４２】
図１０に示すように、光源部１０１＿（２，３）に最も近い位置の光センサ１０４ｂの検出感度が最も高く、光源部１０１＿（２，３）からの距離が遠くなるほど、光センサの検出感度が低くなった。
【００４３】
光センサの光源基板１０５に対する垂直方向の位置を０．５６Ｚ，０．６３Ｚ，０，７９Ｚ，０，９８Ｚに変更した場合の検出結果も同様であった。隔壁１０３よりも上側の側壁上部１０８の範囲Ｚａ内に光センサ１０４ａ，１０４ｂ，１０４ｃ，１０４ｄを配置することが有効であることが確認できた。また、０．６０Ｚ以上なら、より精度よく輝度検出できることと、光センサの位置が光学シート１０２に近い方が、感度良くより高精度な検出値が得られることが確認できた。また、隔壁１０３よりも上側の側壁上部１０８の範囲Ｚａ内において、２個以上の光センサを互いに向い合う位置に配置すれば、各光源部１０１からの光の輝度と色度が検出可能であり、輝度ムラや色ムラを精度良く調整することが可能となることがわかった。輝度に関しては、点灯させた光源部から近い方の光センサで検出した検出値のみを用いてもよいし、点灯させた光源部から各光センサまでの距離に応じた係数を検出値に乗算して使用してもよい。
【００４４】
図１１は、光源基板１０５の左上隅から１列目、１行目の光源部１０１＿（１，１）を単一点灯させ、光源部１０１＿（１，１）からの光を２つの光センサ１０４ａ，１０４ｂで検出する様子を示すイメージ図である。図１２は、光源部１０１＿（１，１）からの光を２つの光センサ１０４ａ，１０４ｂで検出した輝度の検出結果を説明するための図である。４つの光センサ光センサ１０４ａ，１０４ｂ，１０４ｃ，１０４ｄの光源基板１０５に対する垂直方向の位置を０．５６Ｚとした場合の検出結果である。図１２に示すように、光源部１０１＿（１，１）に近い位置の光センサ１０４ｂの検出感度が高く、光源部１０１＿（１，１）からから遠い位置の光センサ１０４ａの検出感度が低くなった。図１２に示すように、２つの光センサ１０４ａ，１０４ｂを互いに向かい合うように配置すれば、各光源部１０１からの光の輝度と色度が検出可能であり、輝度ムラや色ムラを精度良く調整することが可能となる。
【００４５】
なお、光センサの数は奇数であってもよく、図７に示したように、３つの光センサ１０４ａ，１０４ｂ，１０４ｇで光源部１０１からの光を検出してもよい。側壁上部１０８の隅（左上隅）に光センサ１０４ｇを配置してもよい。また、図８に示したように、側壁上部１０８の左上隅に光センサ１０４ｇを配置し、側壁上部１０８の右下隅に光センサ１０４ｈを配置してもよい。
【００４６】
以上のように、本実施の形態２によれば、実施の形態１と同様に、複数の光源部のそれぞれを囲む隔壁を有する光源装置において、従来よりも少ない数の光センサで輝度ムラや色ムラを精度良く調整することが可能となる。
【００４７】
なお、赤色ＬＥＤと緑色ＬＥＤと青色ＬＥＤを有する各光源部１０１を用いた場合は中間拡散板１１５を用いたが、白色ＬＥＤを各光源部１０１として用いる場合は、孔空きの反射シート等を中間拡散板１１５の代わりに用いてもよい。
【００４８】
また、青色ＬＥＤを各光源部１０１として用いる場合は、中間拡散板１１５の代わりに
青色光から赤色光と緑色光を励起する量子ドットシート（ＱＤシート）１１６を用いてもよいし、中間拡散板１１５と量子ドットシートの両方を用いてもよい。図１３は、青色ＬＥＤを各光源部１０１として用い、中間拡散板１１５の代わりに量子ドットシート１１６を用いた表示装置１３の構成の一例を示す断面図である。側壁下部１１３は、光センサ１０４よりも下側（光源基板１０５側）の位置で量子ドットシート１１６を保持する。
【符号の説明】
【００４９】
１  表示装置
２  光源装置
３  液晶パネル
１０１  光源部
１０２  光学シート
１０３  隔壁
１０４  光センサ
１０５  光源基板
１０６  側壁
【図１】
2018190557.tif 000003
【図２】
2018190557.tif 000004
【図３】
2018190557.tif 000005
【図４】
2018190557.tif 000006
【図５】
2018190557.tif 000007
【図６】
2018190557.tif 000008
【図７】
2018190557.tif 000009
【図８】
2018190557.tif 000010
【図９】
2018190557.tif 000011
【図１０】
2018190557.tif 000012
【図１１】
2018190557.tif 000013
【図１２】
2018190557.tif 000014
【図１３】
2018190557.tif 000015